(57)【要約】【課題】出力電流検出抵抗等の温度変化に伴う輝度特性の変動を抑制する。【解決手段】ＬＥＤ駆動装置１０１は、所定の抵抗値を有する抵抗ＲｐとスイッチＳＷとが直列に接続された回路が、２以上の第１所定個数（ここでは、５個）だけ並列接続されて構成されたものであって、図に示すようにＬＥＤ１２と直列に接続される第１スイッチ回路１３と、ＬＥＤ１２の駆動電流Ｉｄを所定の値に制御するべく、第１スイッチ回路１３に含まれる第１所定個数の各スイッチＳＷのオンオフ状態を制御する第１制御部（図示省略）とを備えている。【選択図】図１
2007295767.tif 000002
【特許請求の範囲】
【請求項１】
複数の直列接続されたＬＥＤを駆動するＬＥＤ駆動装置であって、
所定の抵抗値を有する抵抗とスイッチとが直列に接続された回路が、２以上の第１所定個数だけ並列接続されて構成され、前記ＬＥＤと直列に接続される第１スイッチ回路と、
前記ＬＥＤと前記第１スイッチ回路とからなる直列回路の両端に、所定の電圧を付与する電圧源と、
前記ＬＥＤの駆動電流を所定の値に制御するべく、前記第１スイッチ回路に含まれる前記第１所定個数の各スイッチのオンオフ状態を制御する第１制御手段と、
を備えることを特徴とするＬＥＤ駆動装置。
【請求項２】
複数の直列接続されたＬＥＤを駆動するＬＥＤ駆動装置であって、
所定の抵抗値を有する抵抗とスイッチとが並列に接続された回路が、２以上の第２所定個数だけ直列接続されて構成され、前記ＬＥＤと直列に接続される第２スイッチ回路と、
前記ＬＥＤと前記第２スイッチ回路とからなる直列回路の両端に、所定の電圧を付与する電圧源と、
前記ＬＥＤの駆動電流を所定の値に制御するべく、前記第２スイッチ回路に含まれる前記第２所定個数の各スイッチのオンオフ状態を制御する第２制御手段と、
を備えることを特徴とするＬＥＤ駆動装置。
【請求項３】
前記第１スイッチ回路又は第２スイッチ回路と、前記ＬＥＤとの間の中間接点の電位を制御する電位制御手段を備えることを特徴とする請求項１または請求項２に記載のＬＥＤ駆動装置。
【請求項４】
前記電位制御手段は、所定の電圧を発生する電圧源を介して前記中間接点の電位を制御することを特徴とする請求項３に記載のＬＥＤ駆動装置。
【請求項５】
前記電位制御手段は、一方端が接地されたコンデンサの他方端にＰＷＭ信号を印加し、前記コンデンサの他方端を、前記中間接点に抵抗を介して接続することにより、前記中間接点の電位を制御することを特徴とする請求項３に記載のＬＥＤ駆動装置。
【請求項６】
前記電圧源を所定の時間比でオンオフすることによって、前記電圧源のデューティ比を制御する電源制御手段を備え、
前記電圧源は、昇圧チョッパレギュレータを有することを特徴とする請求項１〜請求項５のいずれかに記載のＬＥＤ駆動装置。
【請求項７】
前記スイッチは、接点スイッチからなることを特徴とする請求項１〜請求項６のいずれかに記載のＬＥＤ駆動装置。
【請求項８】
前記スイッチは、ＦＥＴスイッチからなることを特徴とする請求項１〜請求項６のいずれかに記載のＬＥＤ駆動装置。
【発明の詳細な説明】
【技術分野】
【０００１】
本発明は、複数の直列接続されたＬＥＤを駆動するＬＥＤ駆動装置に関するものである。特に、電圧源として昇圧チョッパレギュレータを備えるＬＥＤ駆動装置に関するものである。
【背景技術】
【０００２】
近年、携帯電話機等の電子機器に搭載されている液晶表示装置（ＬＣＤ：Ｌｉｑｕｉｄ  Ｃｒｙｓｔａｌ  Ｄｉｓｐｌａｙ）の照明源（バックライト）、及びデジタルカメラ等のフラッシュライトとして、白色発光ダイオード（ＬＥＤ：Ｌｉｇｈｔ  Ｅｍｉｔｔｉｎｇ  Ｄｉｏｄｅ）が用いられるようになってきている。このような照明源としては、複数の白色発光ダイオードが用いられ、且つ、各白色発光ダイオードの輝度を均一にするために直列接続されることから、このような照明源としての白色発光ダイオードの駆動には、携帯機器に内蔵されている電池の直流電圧よりも高い直流電圧が必要となる。
【０００３】
そこで、このような白色発光ダイオードを駆動する装置として、図６に示す昇圧型のＬＥＤ駆動装置が提案されている（特許文献１参照）。図６は、従来のＬＥＤ駆動装置の構成を示す回路ブロック図である。図６に示すＬＥＤ駆動装置１００は、リチウムイオン電池等の直流電源ＶＩ、入力コンデンサＣｉｎ、コイルＬ、ダイオードＤ、出力コンデンサＣｏ、出力電流検出抵抗Ｒ、及び、ＩＣ化されコイルＬに対するエネルギーの蓄積及び放出を切り換えて昇圧動作を行う昇圧チョッパレギュレータ１１を備え、携帯電話機等の電子機器に搭載されているＬＣＤの照明源である３個の直列接続された白色発光ダイオード（以下、単にＬＥＤという）１２を駆動するものである。
【特許文献１】特開２００５−１６０１７８号公報
【発明の開示】
【発明が解決しようとする課題】
【０００４】
図６に示すＬＥＤ駆動装置１００においては、ＬＥＤ１２２と出力電流検出抵抗Ｒとの間の電圧を外部から印加することによって制御してＬＥＤ１２２の輝度を調整していた。しかしながら、図６に示すＬＥＤ駆動装置１００においては、出力電流検出抵抗Ｒを流れる電流によって抵抗Ｒが発熱して、その温度が上昇し、出力電流検出抵抗Ｒ等の温度特性によって、ＬＥＤ１２２の輝度特性の変動が生じる場合があった。
【０００５】
本発明は、出力電流検出抵抗等の温度変化に伴う輝度特性の変動を抑制することの可能なＬＥＤ駆動装置を提供することを目的とする。
【課題を解決するための手段】
【０００６】
上記目的を達成するために請求項１に記載のＬＥＤ駆動装置は、複数の直列接続されたＬＥＤを駆動するＬＥＤ駆動装置であって、所定の抵抗値を有する抵抗とスイッチとが直列に接続された回路が、２以上の第１所定個数だけ並列接続されて構成され、前記ＬＥＤと直列に接続される第１スイッチ回路と、前記ＬＥＤと前記第１スイッチ回路とからなる直列回路の両端に、所定の電圧を付与する電圧源と、前記ＬＥＤの駆動電流を所定の値に制御するべく、前記第１スイッチ回路に含まれる前記第１所定個数の各スイッチのオンオフ状態を制御する第１制御手段と、を備えることを特徴としている。
【０００７】
請求項２に記載のＬＥＤ駆動装置は、複数の直列接続されたＬＥＤを駆動するＬＥＤ駆動装置であって、所定の抵抗値を有する抵抗とスイッチとが並列に接続された回路が、２以上の第２所定個数だけ直列接続されて構成され、前記ＬＥＤと直列に接続される第２スイッチ回路と、前記ＬＥＤと前記第２スイッチ回路とからなる直列回路の両端に、所定の電圧を付与する電圧源と、前記ＬＥＤの駆動電流を所定の値に制御するべく、前記第２スイッチ回路に含まれる前記第２所定個数の各スイッチのオンオフ状態を制御する第２制御手段と、を備えることを特徴としている。
【０００８】
請求項３に記載のＬＥＤ駆動装置は、請求項１又は請求項２に記載のＬＥＤ駆動装置であって、前記第１スイッチ回路又は第２スイッチ回路と前記ＬＥＤとの間の中間接点の電位を制御する電位制御手段を備えることを特徴としている。
【０００９】
請求項４に記載のＬＥＤ駆動装置は、請求項３に記載のＬＥＤ駆動装置であって、前記電位制御手段が、所定の電圧を発生する電圧源を介して前記中間接点の電位を制御することを特徴としている。
【００１０】
請求項５に記載のＬＥＤ駆動装置は、請求項３に記載のＬＥＤ駆動装置であって、前記電位制御手段が、一方端が接地されたコンデンサの他方端にＰＷＭ信号を印加し、前記コンデンサの他方端を、前記中間接点に抵抗を介して接続することにより、前記中間接点の電位を制御することを特徴としている。
【００１１】
請求項６に記載のＬＥＤ駆動装置は、請求項１〜請求項５のいずれかに記載のＬＥＤ駆動装置であって、前記電圧源を所定の時間比でオンオフすることによって、前記電圧源のデューティ比を制御する電源制御手段を備え、前記電圧源が、昇圧チョッパレギュレータを有することを特徴としている。
【００１２】
請求項７に記載のＬＥＤ駆動装置は、請求項１〜請求項６のいずれかに記載のＬＥＤ駆動装置であって、前記スイッチが、接点スイッチからなることを特徴としている。
【００１３】
請求項８に記載のＬＥＤ駆動装置は、請求項１〜請求項６のいずれかに記載のＬＥＤ駆動装置であって、前記スイッチが、ＦＥＴスイッチからなることを特徴としている。
【発明の効果】
【００１４】
請求項１に記載のＬＥＤ駆動装置は、所定の抵抗値を有する抵抗とスイッチとが直列に接続された回路が、２以上の第１所定個数だけ並列接続されて構成され、ＬＥＤと直列に接続される第１スイッチ回路に含まれる第１所定個数の各スイッチのオンオフ状態を制御することにより、ＬＥＤの駆動電流が所定の値に制御されるため、ＬＥＤを流れる電流が複数の抵抗に分散して電流が流れるので、抵抗の温度変化に伴う輝度特性の変動を抑制することができる。
【００１５】
例えば、第１所定個数が５である場合について具体例を説明する。第１所定個数のスイッチの内、１のスイッチがオンで他の４つのスイッチがオフとなるよう制御する場合には、各抵抗を均等に使用する（オンの時間が同一となるように制御する）と、各抵抗を電流が流れる時間は、ＬＥＤと直列に１の抵抗が接続されている場合と比較して１／５となり、抵抗の温度変化が抑制されるのである。
【００１６】
請求項２に記載のＬＥＤ駆動装置は、所定の抵抗値を有する抵抗とスイッチとが並列に接続された回路が、２以上の第２所定個数だけ直列接続されて構成された第２スイッチ回路に含まれる第２所定個数の各スイッチのオンオフ状態を制御することにより、ＬＥＤの駆動電流が所定の値に制御されるため、ＬＥＤを流れる電流が複数の抵抗に分散して電流が流れるので、抵抗の温度変化に伴う輝度特性の変動を抑制することができる。
【００１７】
例えば、第２所定個数が３である場合について具体例を説明する。第２所定個数のスイッチの内、１のスイッチがオフで他の４つのスイッチがオンとなるよう制御する場合には、各抵抗を均等に使用する（オフの時間が同一となるように制御する）と、各抵抗を電流が流れる時間は、ＬＥＤと直列に１の抵抗が接続されている場合と比較して１／３となり、抵抗の温度変化が抑制されるのである。
【００１８】
請求項３に記載のＬＥＤ駆動装置は、第１スイッチ回路又は第２スイッチ回路とＬＥＤとの間の中間接点の電位が制御されるため、第１スイッチ回路又は第２スイッチ回路の抵抗値が温度変化等で変化した場合でも、輝度特性の変動を抑制することができる。
【００１９】
請求項４に記載のＬＥＤ駆動装置は、所定の電圧を発生する電圧源を介して中間接点の電位が制御されるため、中間接点の電位が正確に制御される。
【００２０】
請求項５に記載のＬＥＤ駆動装置は、一方端が接地されたコンデンサの他方端にＰＷＭ信号が印加され、コンデンサの他方端を、中間接点に抵抗を介して接続することにより、中間接点の電位が制御されるため、ＰＷＭ信号のデューティ比を介して中間接点の電位が正確に制御される。
【００２１】
請求項６に記載のＬＥＤ駆動装置は、昇圧チョッパレギュレータを有する電圧源が所定の時間比でオンオフすることによって、電圧源のデューティ比が制御されるため、ＬＥＤの輝度を更に正確に制御することができる。
【００２２】
請求項７に記載のＬＥＤ駆動装置は、スイッチが接点スイッチからなるため、スイッチ駆動用のＩＣが不要となり消費電力を低減することができる。
【００２３】
請求項８に記載のＬＥＤ駆動装置は、スイッチがＦＥＴスイッチからなるため、高速なオンオフ制御を行うことができる。
【発明を実施するための最良の形態】
【００２４】
まず、図６を用いて従来のＬＥＤ駆動装置の一例について説明する。図６は、従来のＬＥＤ駆動装置の構成の一例を示す回路ブロック図である。上述のように、従来のＬＥＤ駆動装置１００は、リチウムイオン電池等の直流電源ＶＩ、入力コンデンサＣｉｎ、コイルＬ、ダイオードＤ、出力コンデンサＣｏ、出力電流検出抵抗Ｒ、及び、ＩＣ化されコイルＬに対するエネルギーの蓄積及び放出を切り換えて昇圧動作を行う昇圧チョッパレギュレータ（以下、電源ＩＣという）１１を備え、携帯電話機等の電子機器に搭載されているＬＣＤの照明源である３個の直列接続されたＬＥＤ１２２を駆動するものである。
【００２５】
直流電源ＶＩは、両端がそれぞれ入力コンデンサＣｉｎの両端に接続され、負極端子は接地され、正極端子はコイルＬの一方端に接続されている。そして、コイルＬの他方端はダイオードＤのアノードに接続され、ダイオードＤのカソードは出力コンデンサＣｏを介して接地されている。また、出力コンデンサＣｏと並列に、ＬＥＤ１２、及び抵抗Ｒが直列に接続された直列回路が接続されている。
【００２６】
また、電源ＩＣ１１は、外部接続用の端子として電源端子Ｖｉｎ、接地端子ＧＮＤ、出力電圧モニタ端子Ｖｏ、フィードバック端子ＦＢ、及び、コントロール端子ＣＴＲＬを備えている。そして、電源端子Ｖｉは直流電源ＶＩの正極端子に接続され、接地端子ＧＮＤは接地されており、その結果、電源ＩＣ１１は直流電源ＶＩをその動作電源としている。また、スイッチ端子ＶｓｗはコイルＬとダイオードＤとの接続点に接続され、出力電圧モニタ端子ＶｏはダイオードＤのカソードに接続され、フィードバック端子ＦＢはＬＥＤ１２と抵抗Ｒとの接続点に接続されている。また、コントロール端子ＣＴＲＬには、オンオフ信号（外部入力信号）が入力され、入力される外部入力信号に応じて、電源ＩＣ１１の動作が作動又は停止される。
【００２７】
次に、このような構成の図６に示すＬＥＤ駆動装置の動作を説明する。図６に示すＬＥＤ駆動装置は、電源ＩＣ１１が、直流電源ＶＩからの入力電圧Ｖｉｎを昇圧した出力電圧Ｖｏを出力コンデンサＣｏの両端に発生させる。そして、直流電源ＶＩからの電流がコイルＬに流れ、コイルＬにエネルギーが蓄積される。そして、電源ＩＣ１１のスイッチ端子ＶｓｗがＯＮされることによって、蓄積されたエネルギーが放出され、コイルＬに逆起電力が発生する。
【００２８】
コイルＬに発生した逆起電力は直流電源ＶＩの入力電圧Ｖｉｎに加算され、ダイオードＤを介して出力コンデンサＣｏを充電する。そして、このような一連の動作を繰り返すことにより昇圧動作が行われ、出力コンデンサＣｏの両端に出力電圧Ｖｏが発生し、この出力電圧ＶｏによってＬＥＤ１２に駆動電流Ｉｄが流れ、ＬＥＤ１２が発光する。
【００２９】
そして、この駆動電流Ｉｄの電流値に抵抗Ｒの抵抗値を乗じたフィードバック電圧がフィードバック端子ＦＢを介して電源ＩＣ１１に入力され、基準電圧と比較され、電源ＩＣ１１において、フィードバック電圧と基準電圧とが等しくなるように昇圧動作が行われることになる。即ち、駆動電流Ｉｄは、基準電圧（＝フィードバック電圧）を抵抗Ｒの抵抗値で除した電流値に安定化される。
【００３０】
＜第１実施形態＞
次に、図１を用いて本発明に係るＬＥＤ駆動装置の一例（第１実施形態）について説明する。図１は、第１実施形態に係るＬＥＤ駆動装置の構成を示す回路ブロック図である。上述の従来のＬＥＤ駆動装置１００と同様の構成については、同一の参照符号を付し、その説明を省略する。本発明の第１実施形態に係るＬＥＤ駆動装置１０１は、抵抗Ｒに換えて、第１スイッチ回路１３と、第１制御部（図示省略）とを備えている点で従来のＬＥＤ駆動装置１００と相違している。
【００３１】
第１スイッチ回路１３は、所定の抵抗値（例えば、図６に示す従来のＬＥＤ駆動装置１００の抵抗Ｒの抵抗値を同じ抵抗値）を有する抵抗ＲｐとスイッチＳＷとが直列に接続された回路が、２以上の第１所定個数（ここでは、５個）だけ並列接続されて構成されたものであって、図に示すようにＬＥＤ１２と直列に接続されるものである。ここで、スイッチＳＷは、例えば、ＦＥＴ（Ｆｉｅｌｄ  Ｅｆｆｅｃｔ  Ｔｒａｎｓｉｓｔｏｒ）スイッチからなるものである。ＦＥＴスイッチからなる場合には、高速なオンオフ制御を行うことができる。また、スイッチＳＷは、接点スイッチ接点スイッチからなる形態でもよい。この場合には、スイッチ駆動用のＩＣが不要となり消費電力を低減することができる。
【００３２】
第１制御部（第１制御手段に相当する）は、ＬＥＤ１２の駆動電流Ｉｄを所定の値に制御するべく、第１スイッチ回路１３に含まれる第１所定個数の各スイッチＳＷのオンオフ状態を制御するものである。第１制御部は、例えば、図略のマイクロコンピュータ等において、機能的に構成されている形態でもよいし、ＩＣ等の回路として実現されている形態でもよい。
【００３３】
第１制御部の具体的な機能の一例について説明する。例えば、第１制御部は、５個のスイッチＳＷの内、１のスイッチＳＷがオンで他の４つのスイッチＳＷがオフとなるよう制御する。すなわち、第１制御部は、５個のスイッチＳＷから所定時間毎（例えば、１分毎）にサイクリックに順次１のスイッチＳＷを選択して、そのスイッチＳＷをオンし他の４つのスイッチＳＷをオフする。この場合には、５個の抵抗Ｒｐを均等に使用する（オンの時間が同一となるように制御する）ため、駆動電流Ｉｄが各抵抗Ｒｐを流れる時間は、ＬＥＤ１３と直列に１の抵抗が接続されている場合（従来のＬＥＤ駆動装置１００の場合）と比較して１／５となり、抵抗Ｒｐの温度変化が抑制され、輝度特性の変動を抑制することができる。
【００３４】
＜第２実施形態＞
次に、図２を用いて本発明に係るＬＥＤ駆動装置の一例（第２実施形態）について説明する。図２は、第２実施形態に係るＬＥＤ駆動装置の構成を示す回路ブロック図である。上述の従来のＬＥＤ駆動装置１００と同様の構成については、同一の参照符号を付し、その説明を省略する。本発明の第２実施形態に係るＬＥＤ駆動装置１０２は、抵抗Ｒに換えて、第２スイッチ回路１４と、第２制御部（図示省略）とを備えている点で従来のＬＥＤ駆動装置１００と相違している。
【００３５】
第２スイッチ回路１４は、所定の抵抗値（例えば、図６に示す従来のＬＥＤ駆動装置１００の抵抗Ｒの抵抗値を同じ抵抗値）を有する抵抗ＲｓとスイッチＳＷとが並列に接続された回路が、２以上の第２所定個数（ここでは、３個）だけ直列接続されて構成され、ＬＥＤ１２と直列に接続されるものである。
【００３６】
第２制御部（第２制御手段に相当する）は、ＬＥＤ１２の駆動電流Ｉｄを所定の値に制御するべく、第２スイッチ回路１４に含まれる第２所定個数の各スイッチＳＷのオンオフ状態を制御するものである。第２制御部は、例えば、図略のマイクロコンピュータ等において、機能的に構成されている形態でもよいし、ＩＣ等の回路として実現されている形態でもよい。
【００３７】
第２制御部の具体的な機能の一例について説明する。例えば、第２制御部は、３個のスイッチＳＷの内、１のスイッチＳＷがオフで他の２つのスイッチＳＷがオンとなるよう制御する。すなわち、第２制御部は、３個のスイッチＳＷから所定時間毎（例えば、１分毎）にサイクリックに順次１のスイッチＳＷを選択して、そのスイッチＳＷをオフし他の２つのスイッチＳＷをオンする。この場合には、３個の抵抗Ｒｓを均等に使用する（オンの時間が同一となるように制御する）ため、駆動電流Ｉｄが各抵抗Ｒｓを流れる時間は、ＬＥＤ１３と直列に１の抵抗が接続されている場合（従来のＬＥＤ駆動装置１００の場合）と比較して１／３となり、抵抗Ｒｓの温度変化が抑制され、輝度特性の変動を抑制することができる。
【００３８】
＜第３実施形態＞
次に、図３を用いて本発明に係るＬＥＤ駆動装置の一例（第３実施形態）について説明する。図３は、第３実施形態に係るＬＥＤ駆動装置の構成を示す回路ブロック図である。上述の図１に示す第１実施形態に係るＬＥＤ駆動装置１０１と同様の構成については、同一の参照符号を付し、その説明を省略する。本発明の第３実施形態に係るＬＥＤ駆動装置１０３は、抵抗Ｒ２、抵抗Ｒ３、及び、電圧源Ｖｄｃを備えている点で第１実施形態に係るＬＥＤ駆動装置１０１と相違している。
【００３９】
抵抗Ｒ２は、所定の抵抗値を有し、第１スイッチ回路１３とＬＥＤ１２との間の中間接点ＣＰと、電源ＩＣ１１のフィードバック端子ＦＢとの間に介設されるものである。抵抗Ｒ３は、所定の抵抗値を有し、抵抗Ｒ２と電源ＩＣ１１のフィードバック端子ＦＢとの間に一方端が接続され、他方端が、電圧源Ｖｄｃに接続されるものである。電圧源Ｖｄｃ（電位制御手段に相当する）は、中間接点ＣＰの電位を制御するべく、所定の電圧を抵抗Ｒ３に印加するものである。
【００４０】
ＬＥＤ駆動装置１０３は、所定の電圧を発生する電圧源Ｖｄｃを介して中間接点ＣＰの電位が制御されるため、中間接点ＣＰの電位が正確に制御され、第１スイッチ回路１３の抵抗値Ｒｐが温度変化等で変化した場合でも、輝度特性の変動を抑制することができる。
【００４１】
＜第４実施形態＞
次に、図４を用いて本発明に係るＬＥＤ駆動装置の一例（第４実施形態）について説明する。図４は、第４実施形態に係るＬＥＤ駆動装置の構成を示す回路ブロック図である。上述の図３に示す第３実施形態に係るＬＥＤ駆動装置１０３と同様の構成については、同一の参照符号を付し、その説明を省略する。本発明の第４実施形態に係るＬＥＤ駆動装置１０４は、電圧源Ｖｄｃに換えて、コンデンサＣ１、抵抗Ｒ４、及び電流源ＰＷＭを備えている点で第１実施形態に係るＬＥＤ駆動装置１０１と相違している。
【００４２】
コンデンサＣ１は、所定の容量を有し、一方端が接地され、他方端が、抵抗Ｒ３の抵抗Ｒ２に接続されている側ではない側に接続されるものである。抵抗Ｒ４は、所定の抵抗値を有し、コンデンサＣ１の抵抗Ｒ３側に接続され、他方端が電流源ＰＷＭに接続されるものである。電流源ＰＷＭ（電位制御手段に相当する）は、中間接点ＣＰの電位を制御するべく、ＰＷＭ（Ｐｕｌｓｅ  Ｗｉｄｔｈ  Ｍｏｄｕｌａｔｉｏｎ）信号のデューティ比を制御して抵抗Ｒ４の一方端に印加するものである。
【００４３】
ＬＥＤ駆動装置１０４は、一方端が接地されたコンデンサＣ１の他方端にＰＷＭ信号が印加され、コンデンサＣ１の他方端を、中間接点ＣＰに抵抗Ｒ２を介して接続することにより、中間接点ＣＰの電位が制御されるため、ＰＷＭ信号のデューティ比を介して中間接点ＣＰの電位が正確に制御され、第１スイッチ回路１３の抵抗値Ｒｐが温度変化等で変化した場合でも、輝度特性の変動を抑制することができる。
【００４４】
＜第５実施形態＞
次に、図５を用いて本発明に係るＬＥＤ駆動装置の一例（第５実施形態）について説明する。図５は、第５実施形態に係るＬＥＤ駆動装置の構成を示す回路ブロック図である。上述の図１に示す第１実施形態に係るＬＥＤ駆動装置１０１と同様の構成については、同一の参照符号を付し、その説明を省略する。本発明の第５実施形態に係るＬＥＤ駆動装置１０５は、電源ＩＣ１１のコントロール端子ＣＴＲＬにオンオフ信号を付与する図略の信号源（ここでは、信号源Ｓという）を備えている点で第１実施形態に係るＬＥＤ駆動装置１０１と相違している。
【００４５】
信号源Ｓ（電源制御手段に相当する）は、電源ＩＣ１１のコントロール端子ＣＴＲＬに所定のデューティ比のオンオフ信号を付与することにより、電源ＩＣ１１のＬＥＤ１２を駆動する出力電圧Ｖｏのデューティ比を制御するものである。
【００４６】
ＬＥＤ駆動装置１０５は、信号源Ｓによって、電源ＩＣ１１のコントロール端子ＣＴＲＬに所定のデューティ比のオンオフ信号を付与することにより、電源ＩＣ１１のＬＥＤ１２を駆動する出力電圧Ｖｏのデューティ比が制御されるため、ＬＥＤ１２の輝度を正確に制御することができるものである。
【００４７】
なお、本発明は、以下の形態にも適用可能である。
（Ａ）第１〜第５実施形態では、第１スイッチ回路１３又は第２スイッチ回路１４を有する場合について説明したが、第１スイッチ回路１３及び第２スイッチ回路１４を有する形態でもよい。この場合には、更に抵抗の温度変化が抑制され、輝度特性の変動を抑制することができる。
【００４８】
（Ｂ）第１実施形態では、第１制御部が、５個のスイッチＳＷの内、１のスイッチＳＷがオンで他の４つのスイッチＳＷがオフとなるよう制御する場合について説明したが、他の方法で制御する形態でもよい。例えば、抵抗Ｒｐの抵抗値が互いに相違しており、第１制御部が、ＬＥＤ１２を所望する輝度で発光させるべく、５個のスイッチＳＷのオンオフを制御する形態でもよい。例えば、５個のスイッチの内、２個のスイッチをオンする場合には、２０通りの輝度（２０階調の輝度）を実現することができる。そこで、第１制御部は、２０階調の輝度の内、所望する輝度を実現するべく、２個のスイッチを選定してオンするよう制御するものである。
【００４９】
（Ｃ）第２実施形態では、第２制御部が、３個のスイッチＳＷの内、１のスイッチＳＷがオフで他の２つのスイッチＳＷがオンとなるよう制御する場合について説明したが、他の方法で制御する形態でもよい。例えば、抵抗Ｒｓの抵抗値が互いに相違しており、第２制御部が、ＬＥＤ１２を所望する輝度で発光させるべく、３個のスイッチＳＷのオンオフを制御する形態でもよい。例えば、３個のスイッチの内、１個のスイッチをオンする（＝２個のスイッチをオフする）場合には、２０通りの輝度（２０階調の輝度）を実現することができる。そこで、第２制御部は、２０階調の輝度の内、所望する輝度を実現するべく、２個のスイッチを選定してオフするよう制御するものである。
【００５０】
（Ｄ）第１〜第５実施形態では、電圧源が昇圧チョッパレギュレータを有する場合につて説明したが、その他の電圧源（例えば、電池、定電圧源等）である形態でもよい。
【産業上の利用可能性】
【００５１】
複数の直列接続されたＬＥＤを駆動するＬＥＤ駆動装置であって、出力電流検出抵抗等の温度変化に伴う輝度特性の変動を抑制することができるＬＥＤ駆動装置を提供する。
【図面の簡単な説明】
【００５２】
【図１】は、第１実施形態に係るＬＥＤ駆動装置の構成を示す回路ブロック図である。
【図２】は、第２実施形態に係るＬＥＤ駆動装置の構成を示す回路ブロック図である。
【図３】は、第３実施形態に係るＬＥＤ駆動装置の構成を示す回路ブロック図である。
【図４】は、第４実施形態に係るＬＥＤ駆動装置の構成を示す回路ブロック図である。
【図５】は、第５実施形態に係るＬＥＤ駆動装置の構成を示す回路ブロック図である。
【図６】は、従来のＬＥＤ駆動装置の構成の一例を示す回路ブロック図である。
【符号の説明】
【００５３】
１０１    ＬＥＤ駆動装置（第１実施形態）
１１    電源ＩＣ
１２    ＬＥＤ
１３    第１スイッチ回路
ＳＷ    スイッチ
Ｒｐ    抵抗
【図１】
2007295767.tif 000003
【図２】
2007295767.tif 000004
【図３】
2007295767.tif 000005
【図４】
2007295767.tif 000006
【図５】
2007295767.tif 000007
【図６】
2007295767.tif 000008